(57)【要約】【課題】この発明は、複数台のデジタル放送受信機間で通信を行うことにより、他のデジタル放送受信機に対して予約設定を行うことができるデジタル放送受信機を提供することを目的とする。【解決手段】遠隔予約設定モードが選択された際に、ＩＰアドレスが登録されている他のデジタル放送受信機にそれぞれ対応した選択項目を含み、各選択項目に対応した他のデジタル放送受信機の中から、視聴および／または録画予約設定を行いたいデジタル放送受信機をユーザに選択させるための受信機選択画面を表示する手段と、他のデジタル放送受信機に対して予約設定しようとする視聴および／または録画予約情報をユーザに入力させるための遠隔予約設定画面を表示する手段と、遠隔予約設定画面上で入力された視聴および／または録画予約情報を、受信機選択画面によって選択されたデジタル放送受信機に送信する手段とを備えている。【選択図】図１
2010220247.tif 000002
【特許請求の範囲】
【請求項１】
ネットワークを介して互いに接続されかつ前記ネットワーク上の個々の機器を識別するためのＩＰアドレスがそれぞれ割り当てられた複数台のデジタル放送受信機を備えたシステムに用いられるデジタル放送受信機であって、
前記ネッワークに接続されている他のデジタル放送受信機に割り当てられているＩＰアドレスを登録するためのＩＰアドレス設定手段と、
遠隔予約設定モードが選択された際に、ＩＰアドレスが登録されている他のデジタル放送受信機にそれぞれ対応した選択項目を含み、各選択項目に対応した他のデジタル放送受信機の中から、視聴および／または録画予約設定を行いたいデジタル放送受信機をユーザに選択させるための受信機選択画面を表示する手段と、
他のデジタル放送受信機に対して予約設定しようとする視聴および／または録画予約情報をユーザに入力させるための遠隔予約設定画面を表示する手段と、
前記遠隔予約設定画面上で入力された視聴および／または録画予約情報を、前記受信機選択画面によって選択されたデジタル放送受信機に送信する手段と、
を備えていることを特徴とするデジタル放送受信機。
【発明の詳細な説明】
【技術分野】
【０００１】
この発明は、デジタル放送受信機に関する。
【背景技術】
【０００２】
昨今では、複数台のテレビ放送受信機を備えた家庭が大半を占めている。しかしながら、各テレビ放送受信機は独立して使用されており、これらのテレビ放送受信機間で通信を行うといったことは行われていない。
ところで、近年放送が開始されたＢＳデジタル放送等の多チャンネルデジタル衛星放送に加え、地上波においてもデジタル放送への移行が検討されている。地上波デジタル放送を受信するデジタルテレビ放送受信機には通信機能が組み込まれることが予定されている。
【先行技術文献】
【特許文献】
【０００３】
【特許文献１】特開2001-285732号公報
【発明の概要】
【発明が解決しようとする課題】
【０００４】
この発明は、複数台のデジタル放送受信機間で通信を行うことにより、他のデジタル放送受信機に対して予約設定を行うことができるデジタル放送受信機を提供することを目的とする。
【課題を解決するための手段】
【０００５】
この発明は、ネットワークを介して互いに接続されかつ前記ネットワーク上の個々の機器を識別するためのＩＰアドレスがそれぞれ割り当てられた複数台のデジタル放送受信機を備えたシステムに用いられるデジタル放送受信機であって、前記ネッワークに接続されている他のデジタル放送受信機に割り当てられているＩＰアドレスを登録するためのＩＰアドレス設定手段と、遠隔予約設定モードが選択された際に、ＩＰアドレスが登録されている他のデジタル放送受信機にそれぞれ対応した選択項目を含み、各選択項目に対応した他のデジタル放送受信機の中から、視聴および／または録画予約設定を行いたいデジタル放送受信機をユーザに選択させるための受信機選択画面を表示する手段と、他のデジタル放送受信機に対して予約設定しようとする視聴および／または録画予約情報をユーザに入力させるための遠隔予約設定画面を表示する手段と、前記遠隔予約設定画面上で入力された視聴および／または録画予約情報を、前記受信機選択画面によって選択されたデジタル放送受信機に送信する手段とを備えていることを特徴とする。
【発明の効果】
【０００６】
この発明によれば、複数台のデジタル放送受信機間で通信を行うことにより、他のデジタル放送受信機に対して予約設定を行うことができるデジタル放送受信機が得られる。
【図面の簡単な説明】
【０００７】
【図１】家庭内に設けられたデジタルテレビ放送受信システムの構成を示すブロック図である。
【図２】デジタルテレビ放送受信機Ａの構成を示すブロック図である。
【図３】通信設定画面の例を示す模式図である。
【図４】受信機選択画面の例を示す模式図である。
【図５】遠隔録画予約設定画面の例を示す模式図である。
【発明を実施するための形態】
【０００８】
以下、図面を参照して、この発明の実施の形態について説明する。
図１は、家庭内に設けられたデジタルテレビ放送受信システムの構成を示している。
この例では、３台のデジタルテレビ放送受信機Ａ、Ｂ、ＣがＬＡＮ５０に接続されている。ＬＡＮ５０にはルータ６０が接続されている。各受信機Ａ、Ｂ、Ｃには、それぞれＩＰアドレスが割当てられている。
【０００９】
図２は、デジタルテレビ放送受信機Ａの構成を示している。なお、他のデジタルテレビ放送受信機Ｂ、Ｃの構成も同じである。
デジタルテレビ放送波はアンテナ１を介してチューナ２に送られ、高周波処理および復調が行われる。チューナ２からの出力は、ＤＥＭＵＸ回路３に送られ、パケットの復号が行われる。
【００１０】
ＤＥＭＵＸ回路３において、パケットは、ＭＰＥＧデータと番組案内情報等の付属情報とに分けられる。ＤＥＭＵＸ回路３によって得られたＭＰＥＧデータは、データ制御部４を介してＡＶデコーダ６に送られる。ＤＥＭＵＸ回路３によって得られた付属情報は、システムコントローラ２０に送られる。
システムコントローラ２０は、不揮発性メモリ２１および図示しないＲＡＭ等の揮発性メモリを備えている。システムコントーラ２０は、通信機能部２２を介してＬＡＮ５０に接続されている。システムコントローラ２０は、ＤＥＭＵＸ回路３から送られてきた付属情報を揮発性メモリに格納する。また、システムコントローラ２０には、リモートコントローラ（以下、リモコンという）２４からのリモコン信号が入力される。
【００１１】
システムコントローラ２０は、チューナ２およびＤＥＭＵＸ回路３に選局のための情報を送る。また、システムコントローラ２０は、番組ガイド（ＥＰＧ）の他、各種操作画面をディスプレイ１０にオンスクリーン表示させるためのＯＳＤ表示回路２５に送る。ＯＳＤ表示回路２５は、番組ガイド、各種操作画面の表示データ（ＯＳＤ画面データ）を生成して、マルチプレクサ８に送る。
【００１２】
ＡＶデコーダ６は、ＤＥＭＵＸ回路３から送られてきたＭＰＥＧデータを復調する。ＡＶデコーダ６によって得られた映像信号は、映像処理回路７を介してマルチプレクサ８に送られる。マルチプレクサ８は、映像処理回路７から出力された映像データにＯＳＤ表示回路２５から送られてきた表示データをスーパーインポーズ処理して、映像出力回路９に送る。映像出力回路９から出力された映像信号は、ディスプレイ１０に送られる。ＡＶデコーダ６によって得られた音声信号は、音声処理回路１１および音声出力回路１２を介してスピーカ１３に送られる。
【００１３】
なお、データ制御部４は、録画時には、ＤＥＭＵＸ回路３によって得られたＭＰＥＧデータを記録媒体５に送って、記録媒体５にＭＰＥＧデータを記録させる。
ユーザは、各デジタルテレビ放送受信機Ａ，Ｂ，Ｃに対して、図３に示す通信設定画面上で、当該受信機のＩＰアドレス、サブネットマスクおよびゲートウェイアドレス（ルータ６０のＩＰアドレス）を設定しておく。また、ユーザは、各デジタルテレビ放送受信機Ａ，Ｂ，Ｃに対して、ＬＡＮ５０に接続されている他の２つの受信機のＩＰアドレスを設定しておく。
【００１４】
各デジタルテレビ放送受信機Ａ，Ｂ，Ｃは、各受信機においてＬＡＮ５０に接続されている他の受信機に対して録画予約設定を行える機能（遠隔録画予約設定機能）を備えている。ここでは、受信機Ａにおいて、他の受信機Ｂに対して録画予約設定を行う場合の動作について説明する。
まず、受信機Ａにメニュー画面上から遠隔録画予約設定モードを選択すると、図４に示すように、録画予約を行う受信機を選択するための受信機選択画面が表示され。
【００１５】
この例では、受信機Ｂおよび受信機Ｃを選択するための選択項目１０１、１０２が表示される。ユーザは、リモコン２４上のカーソル移動キーを操作することによって、録画予約を行いたい受信機に対応する選択項目１０１または１０２上にカーソルを移動させた後、リモコン２４上の決定ボタンを押す。これにより、録画予約を行いたい受信機が、システムコントローラ２０に認識される。ここでは、録画予約を行いたい受信機として受信機Ｂが選択されたとする。
【００１６】
上記のようにして決定ボタンが押されると、図５に示すように、遠隔録画予約設定画面が表示される。遠隔録画予約設定画面には、録画予約したい番組のチャンネルを設定するためのチャンネル設定部１１１、録画予約したい番組の放送日を設定するための予約日付設定部１１２、録画開始時刻を設定するための開始時刻設定部１１３および録画終了時刻を設定するための終了時刻設定部１１４が表示される。
【００１７】
ユーザは、遠隔録画予約設定画面上で、録画予約情報、つまり、録画予約したい番組のチャンネル、録画予約したい番組の放送日、録画開始時刻および録画終了時刻を設定する。そして、録画予約情報を設定した後、ユーザはリモコン２４上の決定ボタンを押す。このようにして決定ボタンが押されると、システムコントローラ２０は、遠隔録画予約設定画面上で設定された録画予約情報を、受信機選択画面で選択された他の受信機（この例では受信機Ｂ）に、通信機能部２２およびＬＡＮ５０を介して送信する。
【００１８】
受信機Ａから送られてきた録画予約情報を受信した上記他の受信機Ｂのシステムコントローラは、録画予約情報を受信したことを示す応答情報を受信機Ａに送信するとともに、受信した録画予約情報を不揮発性メモリ２１に登録する。
受信機Ａのシステムコントローラ２０は、受信機Ｂからの応答情報を受信すると、図５に示すように、遠隔録画予約設定画面上に、受信機Ｂに対する録画予約設定が正常に行われたこと示す録画予約設定完了メッセージを表示する。
【００１９】
以上は、ある受信機を操作することにより他の受信機に対して録画予約設定を行う場合について説明したが、この発明はある受信機を操作することにより他の受信機に対して視聴予約設定のみを行う場合、または視聴および録画予約の両方の設定を行う場合にも適用することができる。
【符号の説明】
【００２０】
Ａ，Ｂ，Ｃ  デジタルテレビ放送受信機
４  データ制御部
５  記録媒体
２０  システムコントローラ
２１  不揮発性メモリ
２２  通信機能部
５０  ＬＡＮ
６０  ルータ
【図１】
2010220247.tif 000003
【図２】
2010220247.tif 000004
【図３】
2010220247.tif 000005
【図４】
2010220247.tif 000006
【図５】
2010220247.tif 000007